(57)【特許請求の範囲】
【請求項１】
複数の番組の番組データが多重化された情報データ列を受信する受信手段と、
前記番組毎にそれぞれの番組データに対して付与された識別データに基いて、ユーザが選択した番組の番組データを抽出する抽出手段と、
前記番組データの映像データ及び文字情報データに基いて、映像及び文字情報を表示手段に表示させる制御手段とを有し、
前記抽出手段は、前記ユーザが選択した番組以外の番組に対して、緊急情報であることを示す予め決められた特定の識別データを有する文字情報データがあることを、前記情報データ列より検出し、
前記制御手段は、前記ユーザが選択した番組の映像データに係る映像に、検出された文字情報データに係る文字情報を多重して表示させることを特徴とする受信装置。
【請求項２】
前記制御手段は、前記ユーザが選択した番組の映像データに係る映像を縮小し、縮小された映像と前記文字情報とが重ならないように表示させることを特徴とする請求項１記載の受信装置。
【請求項３】
前記抽出手段は、前記情報データ列より、前記ユーザにより指定された第２の文字情報データを抽出し、前記制御手段は、前記文字情報、前記第２の文字情報データに係る第２の文字情報及び前記映像とを多重して表示させることを特徴とする請求項１記載の受信装置。
【請求項４】
前記第２の文字情報は、番組関連情報または広告情報を含むことを特徴とする請求項３記載の受信装置。
【請求項５】
複数の番組の番組データが多重化された情報データ列を受信するステップと、
前記番組毎にそれぞれの番組データに対して付与された識別データに基いて、ユーザが選択した番組の番組データを抽出するステップと、
前記番組データの映像データ及び文字情報データに基いて、映像及び文字情報を表示手段に表示させるステップとを有し、
前記ユーザが選択した番組以外の番組に対して、緊急情報であることを示す予め決められた特定の識別データを有する文字情報データがあることを、前記情報データ列より検出し、
前記ユーザが選択した番組の映像データに係る映像に、検出された文字情報データに係る文字情報を多重して表示させることを特徴とする受信方法。
【発明の詳細な説明】
【０００１】
【発明の属する技術分野】
本発明は受信装置に関し、特には、文字情報の受信及び表示を行う装置に関するものである。
【０００２】
【従来の技術】
近年、次世代のＴＶ放送方式として、デジタルＴＶ放送が注目されている。そのため、デジタルＴＶ放送を受信するデジタルＴＶデコーダ（以下ＳＴＢ；セットトップボックス）の開発が進められると共に、日本においても通信衛星（ＣＳ；Communication Satellite）を用いたデジタルＴＶ放送が開始されている。
【０００３】
デジタルＴＶ放送では、映像・音声・文字情報などをパケット化し多重して伝送している。そこで、伝送される映像・音声・文字情報はそれぞれ、各番組毎に識別データが付加され、これを受信するＳＴＢにおいて、その識別データに基づいて指定された番組に係るデータを抽出、デコーダ処理を行って、表示画面に表示する。
【０００４】
また、デジタルＴＶ放送においては、多くの文字情報を伝送可能である為、受信した文字情報を全て自動的に表示した場合、その表示画面は非常に煩雑なものとなると共に、ユーザにとって不必要な文字情報をも表示してしまう。そこで、文字情報を受信したことを示す表示を行い、ユーザがその表示を指定することで受信した文字情報を表示する。あるいは、受信した文字情報に係る表示を一覧表示し、ユーザの指定により所望の文字情報を表示することが考えられる。
【０００５】
【発明が解決しようとする課題】
しかし、従来の文字情報受信・表示システムにおいては、文字情報は各番組毎に異なった識別データを持つ為、ユーザが視聴中の番組における文字情報しか表示できない。即ち、デジタルＴＶ放送では、同一のＴＳ中に多数の番組を多重して放送しているが、ユーザが視聴中の番組以外の番組において文字情報が伝送された場合には、ニュース速報や地震情報などの緊急性、優先度の高い情報であってもユーザはその情報を確認することが出来ない。
【０００６】
本発明は前述の如き問題を解決することを目的とする。
【０００７】
本発明の更に他の目的は、複数の番組が多重されたデータ列を受信する際、何れかの番組に文字情報データが多重された場合に、如何なる番組を視聴中であっても、その文字情報データに係る文字情報を表示させる処にある。
【０００８】
本発明の更に他の目的は、緊急性・優先度の高い文字情報データに係る文字情報を確実に表示する処にある。
【０００９】
【課題を解決するための手段】
本発明の受信装置は、複数の番組の番組データが多重化された情報データ列を受信する受信手段と、
前記番組毎にそれぞれの番組データに対して付与された識別データに基いて、ユーザが選択した番組の番組データを抽出する抽出手段と、
前記番組データの映像データ及び文字情報データに基いて、映像及び文字情報を表示手段に表示させる制御手段とを有し、
前記抽出手段は、前記ユーザが選択した番組以外の番組に対して、緊急情報であることを示す予め決められた特定の識別データを有する文字情報データがあることを、前記情報データ列より検出し、
前記制御手段は、前記ユーザが選択した番組の映像データに係る映像に、検出された文字情報データに係る文字情報を多重して表示させることを特徴とする。
【００１０】
また、本発明の受信装置は、少なくとも文字情報データを含む複数の情報データが多重化された情報データ列を受信する受信手段と、前記受信手段により受信した情報データ列より、予め決められた特定の識別データを有する文字情報データがあることを検出し、検出された文字情報データを前記情報データ列より抽出する抽出手段と、前記抽出手段により抽出された文字情報データに係る音声信号を生成する音声生成手段と、前記音声信号を、音声出力手段により音声出力するように制御する制御手段とを有することを特徴とする。
【００１１】
【発明の実施の形態】
以下、図面を用いて本発明の実施形態について詳細に説明する。
【００１２】
図２は本発明が適用されるデジタルＴＶ受信装置の構成を第一の実施形態として示すブロック図である。図２におけるデジタルＴＶ受信装置は、ARIB STD−B10 1.0に準拠したデジタル放送システム（ARIB：Associacon of Radio Industries and Businesses）、映像はISO/IEC 61818−2のMPEG２、音声はISO/IEC 61818-3のMPEG２にそれぞれ従い送られてきたテレビジョン信号を受信する。
【００１３】
まず、映像・音声・文字情報が多重されたテレビジョン信号を受信した場合のデジタルＴＶ受信装置の動作について説明する。ここで、文字情報とは、緊急性、優先度の低い文字情報であり、各番組毎に独自のＰＩＤが付加されている。
【００１４】
図２において、不図示のアンテナにより供給された信号はチューナ部２０１に入力される。ここで、チューナ部２０１は、本発明の特許請求の範囲に記載の受信手段に相当する。チューナ部２０１は、受信した各信号に対して、復調、誤り訂正等の処理を施し、トランスポートストリームと呼ばれる形式のデジタルデータを生成する。更に、生成したトランスポートストリーム（ＴＳ）データをデスクランブラ２０２に出力する。
【００１５】
デスクランブラ２０２は、視聴制限の為のスクランブルがかけられているＴＳデータがチューナ部２０１より入力された場合、ＴＳデータに含まれるデスクランブルの為の鍵情報とＩＣカード制御部２１５より出力される鍵情報とに基づいて、スクランブル解除を行い、デマルチプレクサ２０３に出力する。
【００１６】
ここで、ＩＣカード制御部２１５は、ユーザの契約情報及びＴＳデータに含まれるデスクランブルの為の鍵情報を解く為の鍵情報が格納されているＩＣカードを含み、デスクランブラ２０２より入力されたデスクランブルの為の鍵情報を解く為の鍵情報があった場合、その鍵情報をデスクランブラ２０２に出力する。
【００１７】
また、デスクランブラ２０２は、チューナ部２０１よりスクランブルがかけられていないＴＳデータを入力した場合には、ＴＳデータをそのまま、デマルチプレクサ２０３に出力する。
【００１８】
デマルチプレクサ２０３は、デスクランブラ２０２より入力された複数チャンネル分の映像、音声データ、及び文字データ等が時分割多重化されているＴＳデータの中から、操作部２１４の操作により選択されたチャンネルにおいて現在放送中の番組に係る映像データＤ１、音声データＤ２及び文字データＤ３を取り出し、それぞれをビデオデコーダ２０４、オーディオデコーダ２０５、文字デコーダ２０６に出力する。ここで、デマルチプレクサ２０３は、本発明の特許請求の範囲に記載の抽出手段に相当する。
【００１９】
ここで、ＴＳデータはパケット単位で伝送され、パケットの先頭部分には、ＰＩＤ（Packet Identification）が付加されている。デマルチプレクサ２０３は、ＴＳデータ中のＰＡＴ（Program Association Table），ＰＭＴ（Program Map Table）等のＰＳＩ（Program Specific Information）データに基づいて、各データのＰＩＤを検出し、このＰＩＤを読み取ることで、映像データＤ１、音声データＤ２、文字データＤ３の識別を行う。
【００２０】
本形態においては、操作部２１４により選択されたチャンネルの番組のプログラムナンバーを0002hとし、デマルチプレクサ２０３は、受信したTSデータ中から図１(a)に示したProgram Number＝0002hにおける映像データのPID＝0040h、音声データのPID＝0041h、文字データのPID＝0042hが付加されているデータを抽出する。
【００２１】
また、図２に示す如く、各ブロックは共通のバス２１７に接続されている。
【００２２】
まず、映像データについて説明する。ビデオデコーダ２０４は、デマルチプレクサ２０３より入力された映像データＤ１に対して、ＭＰＥＧ２のデコード処理を施し、復号した映像データを映像補正回路２０７に出力する。映像補正回路２０７は、映像デコーダ２０４より入力された映像データに対して、デガンマ・白補正・黒補正・等の映像補正処理を施し、補正処理した映像データを表示制御部２１１に出力する。
【００２３】
表示制御部２１１は、システム制御部２１６の制御に従い、映像補正回路２０７、ＯＳＤ構成部２１０より入力された映像データに応じた画像を画像表示部２１２に表示させる。この画像表示部２１２の表示形態は操作部２１４の操作により適宜設定可能である。ここで、画像表示部２１２は、本発明の特許請求の範囲に記載の表示手段に相当する。
【００２４】
また、表示制御部２１１は、後述の緊急テロップデータ受信時に、ＯＳＤ構成部２１０からの緊急テロップ表示を映像補正回路２０７からの映像よりも優先的に表示するように制御する。
【００２５】
また、ＯＳＤ構成部２１０については後述する。更に、画像表示部２１２は、不図示のモニタ及び映像信号入力端子を含む。
【００２６】
次に、音声データについて説明する。オーディオデコーダ２０５は、デマルチプレクサ２０３より入力された音声データＤ２に対して、ＭＰＥＧ２のデコード処理を施し、復号した音声データをＤＡＣ２０８に出力する。ＤＡＣ２０８は、オーディオデコーダ２０５より入力された音声データに対して、Ｄ／Ａ変換の処理を施し、音声出力部２１３に出力する。また、音声出力部２１３は、不図示のスピーカ及び音声信号入力端子を含む。
【００２７】
そして、文字データについて説明する。ここで、文字データＤ３は、文字情報の題名を示す文字題名データと文字情報を示す文字内容データから成っている。デマルチプレクサ２０３は、抽出した文字データＤ３をメモリ２２０に出力すると共に、抽出した文字データ中の文字題名データを文字デコーダ２０６に出力する。
【００２８】
また、システム制御部２１６は、後述の如く操作部２１４の操作により指定された文字情報の題名データに対応した内容データをメモリ２２０より読み出し、文字デコーダ２０６に出力する。
【００２９】
文字デコーダ２０６は、デマルチプレクサ２０３若しくはメモリ２２０より入力された文字内容データ若しくは文字題名データをデジタル文字コード、ここではＪＩＳ文字コードで表現されたデジタル文字コードに変換し、文字フォント変換部２０９に出力する。
【００３０】
文字フォント変換部２０９は、内蔵のメモリに記憶されたデジタル文字コードに対応した文字フォント情報を読み出し、読み出した文字情報フォントに応じて、デジタル文字コードを文字イメージに変換し、ＯＳＤ構成部２１０に出力する。
【００３１】
ＯＳＤ構成部２１０は、文字フォント変換部２０９より入力された文字イメージを表示する所定の位置、文字の色、背景等の情報を付加して文字映像情報として表示制御部２１１に出力する。この出力例を図３に示す。図３(a)は、受信した文字情報の一覧表示の表示例で、文字題名データに基づいて表示される。図３(b)は、文字情報の内容を示す表示例で、文字内容データに基づいて表示される。
【００３２】
また、ＯＳＤ構成部２１０は、後述の緊急テロップデータの文字表示や、ＵＩ画面等の表示イメージをも構成し、表示制御部２１１に出力する。
【００３３】
表示制御部２１１は、前述の如く動作を行い、図３に示した如く文字情報の表示画面を映像画面に多重し、図４に示す如く画像を画像表示部２１２に出力する。
【００３４】
また、システム制御部２１６は、操作部２１４の操作により図４(a)の文字情報の一覧表示の中から所望の文字情報の題名が選択されると、選択された題名に対応した文字内容データをメモリ２２０より読み出し、前述の如く動作を行い、画像表示部２１２に図４(b)の如く文字情報の内容を表示するべく各部を制御する。
【００３５】
次に、図１(b)に示す如く、映像・音声・文字情報及び緊急テロップデータが多重されたテレビジョン信号を受信した場合のデジタルＴＶ受信装置の動作について説明する。つまり、Program Number＝0002hである番組を視聴中に、Program Number＝0005hである番組に緊急テロップデータが多重して伝送された場合のデジタルＴＶ受信装置の動作である。
【００３６】
ここで、送信側である事業者間においては、緊急性・重要性の高いテロップに係る文字データを示す共通の識別データを規定する。例えば、送信側は、緊急性・重要性の高いテロップに係る文字データ、つまり緊急テロップデータに対して、１３BitsのPID＝0030hを付加して伝送する。
【００３７】
図２において、不図示のアンテナより供給された信号はチューナ部２０１に入力される。ここで、２０１〜２０３、２０４、２０５、２０７、２０８、２１３においては、前述の動作と同じであるので、説明を省略する。
【００３８】
デマルチプレクサ２０３は、デスクランブラ２０３より入力されたＴＳデータの中から、前述の如く図１(b)に示したProgram Number＝0002hにおける映像データのPID＝0040hと音声データのPID＝0041hと文字データのPID＝0042hとを抽出し、抽出された音声データ、映像データ及び文字データをそれぞれ、ビデオデコーダ２０４、オーディオデコーダ２０５、メモリ２２０、文字デコーダ２０６へ出力する。映像データ、音声データ、文字データについては、前述の如く処理がなされる。
【００３９】
更に、デマルチプレクサ２０３は、Program Number＝0005hにおけるPID＝0030hのデータ、即ち、緊急テロップデータを抽出し、メモリ２２０及び文字デコーダ２０６に出力すると共に、PID＝0030hのデータを検出した旨の信号をシステム制御部２１６に出力する。
【００４０】
システム制御部２１６は、デマルチプレクサ２０３により入力された緊急テロップデータを検出した旨の信号に応じて、後述の如く文字デコーダ２０６、文字フォント変換部２０９、ＯＳＤ構成部２１０を制御し、更に、後述の如くＯＳＤ構成部２１０より出力された緊急テロップデータに係る表示を映像に合成した画面を5秒間表示するべく表示制御部２１１を制御する。なお、緊急テロップ表示時間は、何秒間でもよい。
【００４１】
また、システム制御部２１６は、操作部２１４の操作により緊急テロップデータの再表示が指示された場合に、メモリ２２０より緊急テロップデータを読み出し、文字デコーダ２０６に出力し、同様に表示部に表示する。
【００４２】
文字デコーダ２０６は、デマルチプレクサ２０３若しくはメモリ２２０より入力された緊急テロップデータをデジタル文字コードに変換し、文字フォント変換部２０９に出力する。
【００４３】
文字フォント変換部２０９は、内蔵のメモリに記憶されたデジタル文字コードに対応した文字フォント情報を読み出し、読み出した文字情報フォントに応じて、デジタル文字コードを文字イメージに変換し、ＯＳＤ構成部２１０に出力する。
【００４４】
ＯＳＤ構成部２１０は、文字フォント変換部２０９より入力された文字イメージを表示する所定の位置、文字の色、背景等の情報を付加して文字映像情報として表示制御部２１１に出力する。この出力例を図５に示す。ここでは、緊急テロップデータと映像とを合成した場合に、文字が見えにくくなるのを防ぐため文字部に背景色を付けた。
【００４５】
表示制御部２１１、画像表示部２１２は前述の動作と同じであるため、説明を省略する。画像表示部２１２には、図６(a)に示す如く、緊急テロップデータが優先的に映像に多重されて合成された画面が表示される。
【００４６】
また、システム制御部２１６は、マイクロプロセッサーを含み、チャンネル選択、電源ＯＮ等の各種操作スイッチを有する操作部２１４の操作に応じて、チューナ部２０１、デスクランブラ２０２、デマルチプレクサ２０３、各デコーダ部２０４〜２０６、文字フォント変換部２０９、ＯＳＤ構成部２１０、表示制御部２１１等を制御する。ここで、操作部２１４は、本発明の特許請求の範囲に記載の指定手段に相当する。
【００４７】
この様に、本形態では、緊急性・重要性の高いテロップに係る文字データに対して付加された共通の識別データを判別するようにしたので、同一トランスポートストリームに多重された番組において、何れかの番組に緊急テロップデータが多重された場合に、前記トランスポートストリームに多重された番組中、如何なる番組を視聴中であっても、緊急テロップデータを検知し、緊急テロップデータに係る文字情報を表示することができる。
【００４８】
更に、本形態では、緊急性・重要性の高いテロップに係る文字データに対して付加された共通の識別データを判別するようにし、判別された文字データをユーザの操作を必要とせずに表示するようにしたので、緊急性・優先度の高い文字情報を確実に表示することができる。
【００４９】
なお、本形態では、緊急テロップデータを文字映像信号に変換して画面に表示させたが、緊急テロップデータに対応した音声を合成し、合成した音声を出力するようにしてもよい。
【００５０】
その場合に、本発明が適用されるデジタルＴＶ受信装置のブロック図を図７に示す。ここで、抽出された文字データは、文字デコーダ２０６においてデコード処理され、音声合成部２０９に入力される。音声合成部２０９は、文字デコーダ２０６から入力された文字データを人間が判別可能な音声信号に変換する。ここで、音声合成部２０９は、本発明の特許請求の範囲に記載の音声生成手段に相当する。
【００５１】
合成された音声信号は、スイッチ２１０に出力され、ＤＡＣ２０８に出力される。ここで、スイッチ２１０は、システム制御部２１６の制御により切換えられ、緊急テロップデータ検出時には、ｂ側端子に接続される。一方、緊急テロップデータが検出されない場合には、スイッチ２１０は、a側端子に接続される。ＤＡＣ２０８は、入力された音声データをＤ／Ａ変換し、音声出力部２１３に出力する。
【００５２】
次に、本発明の第二の実施形態について詳細に説明する。
【００５３】
図８は本発明が適用されるデジタルＴＶ受信装置の第二の実施形態としての構成を示すブロック図である。
【００５４】
図８において、第一の実施形態と同じ構成部には、同一番号を付し、その動作が同じである構成部については説明を省略する。ここで、第一の実施形態と異なるのは、解像度変更回路２１８及び背景映像供給部２１９を備えていることである。
【００５５】
まず、映像・音声・文字情報が多重されたテレビジョン信号を受信した場合のデジタルＴＶ受信装置の動作を説明する。
【００５６】
チューナ部２０１〜ビデオデコーダ２０４、映像補正回路２０７を介してきた映像信号は、解像度変換回路２１８に入力される。解像度変換回路２１８は、入力された映像信号に係る映像の解像度は変換せず、映像を中央に表示するべく表示位置情報を映像情報に付加し、表示制御部２１１に出力する。
【００５７】
また、表示画面の全範囲に渡って映像が表示される場合には、背景映像供給部２１９は、表示制御部２１１に背景映像情報を出力しない。
【００５８】
その他の構成部における動作は、第一の実施形態と同じであるので、説明を省略する。
【００５９】
次に、映像・音声・文字情報・緊急テロップデータが多重されたテレビジョン信号を受信した場合のデジタルＴＶ受信装置の動作を説明する。
【００６０】
チューナ部２０１〜ビデオデコーダ２０４、映像補正回路２０７を介してきた映像信号は、解像度変換回路２１８に入力される。解像度変換回路２１８は、システム制御部２１６の指示に応じて、入力された映像信号に係る映像の拡大・縮小の解像度変換を行い、変換された映像に係る映像情報に表示位置情報を付加し、その映像情報を表示制御部２１１に出力する。
【００６１】
表示制御部２１１は、解像度変換回路２１８から入力された映像情報と、ＯＳＤ構成部２１０から入力された文字映像情報と、背景映像供給部２１９から入力された背景映像情報とに係る画像を、操作部２１４の操作に応じて画面を切換えたり、多重したりして画像表示部２１２に表示させる。ここで、背景映像供給部２１９は、解像度変換回２１８において拡大・縮小された映像と、ＯＳＤ構成部２１０において構成された文字映像情報との背景となる映像を、操作部２１４の操作、若しくはシステム制御部２１６の指定に応じて設定し、その背景映像情報を表示制御部２１１に出力する。
【００６２】
図６(b)は、縮小した映像と緊急テロップデータとを背景画面上の別ウィンドウで表示した場合の表示例である。図６(b)において、ＯＳＤ構成部２１０から入力された文字映像情報に係る映像画面６２は、全体画面６０に対して上部に、背景色を白として表示され、解像度変換回路２１８から入力された映像情報に係る映像画面６１は、全体画面６０に対して左下に、８０％に縮小されたウィンドウで表示され、背景映像供給部２１９より入力された背景映像画面６３は、画面６１及び６２のウィンドウを表示しない画面の残りの部分に、グレーで表示される。
【００６３】
また、その他の構成部における動作は、第一の実施形態と同じであるので、説明を省略する。
【００６４】
この様に、本形態では、緊急性・重要性の高いテロップに係る文字データに対して付加された共通の識別データを判別するようにしたので、同一トランスポートストリームに多重された番組において、何れかの番組に緊急テロップデータが多重された場合に、前記トランスポートストリームに多重された番組中、如何なる番組を視聴中であっても、緊急テロップデータを検知し、緊急テロップデータに係る文字情報を表示することができる。
【００６５】
更に、本形態では、緊急性・重要性の高いテロップに係る文字データに対して付加された共通の識別データを判別するようにし、判別された文字データをユーザの操作を必要とせずに表示するようにしたので、緊急性・優先度の高い文字情報を確実に表示することができる。
【００６６】
なお、本形態では、緊急テロップデータを文字映像信号に変換して画面に表示させたが、緊急テロップデータに対応した音声を合成し、合成した音声を出力するようにしてもよい。
【００６７】
【発明の効果】
以上説明したように、本発明によれば、複数の番組が多重されたデータ列を受信する際、何れかの番組に文字情報データが多重された場合に、如何なる番組を視聴中であっても、その文字情報データに係る文字情報を表示することができる。
【００６８】
また、緊急性・優先度の高い文字情報データに係る文字情報を確実に表示することができる。
【図面の簡単な説明】
【図１】本発明が適用されるデジタルＴＶ受信装置が受信するデータを示す図である。
【図２】本発明が適用されるデジタルＴＶ受信装置の第一の実施形態における構成を示すブロック図である。
【図３】文字情報の表示例である。
【図４】映像画面と文字情報表示画面を多重した場合の表示例である。
【図５】緊急テロップの表示例である。
【図６】緊急テロップを映像画面に多重した場合の表示例である。
【図７】本発明が適用されるデジタルＴＶ受信装置の構成を示すブロック図である。
【図８】本発明が適用されるデジタルＴＶ受信装置の第二の実施形態における構成を示すブロック図である。
【図１】
0004298076.tif 000002
【図２】
0004298076.tif 000003
【図３】
0004298076.tif 000004
【図４】
0004298076.tif 000005
【図５】
0004298076.tif 000006
【図６】
0004298076.tif 000007
【図７】
0004298076.tif 000008
【図８】
0004298076.tif 000009